(57)【要約】【課題】  電解コンデンサと筐体の板金製天板部との絶縁距離を延長することによって、天板部を電解コンデンサの頂部に近付けるという手段で電気電子機器の薄形化を図る。【解決手段】  基板２上の電解コンデンサ３の頂部３１が、筐体１の板金製天板部１２ａに間隔を隔てて対向している。樹脂成形体でなるキャップ体５の板状部５１を、電解コンデンサー３の頂部３１に被せる。キャップ体５に樹脂ばね片５３を一体成形し、その樹脂ばね片５３でキャップ体５を電解コンデンサ３の頂部３１に弾圧させておく。【選択図】        図１
2006147957.tif 000002
【特許請求の範囲】
【請求項１】
基板上に配備された電気部品の頂部が、電気電子機器筐体の板金製天板部に間隔を隔てて対向している電気電子機器の電源装置において、
板状部とその板状部に一体に形成された周壁部とを備える電気絶縁性の樹脂成形体でなるキャップ体の上記板状部を、基板に搭載された円柱状の外形を有する電解コンデンサーでなる上記電気部品の頂部に載架して上記周壁部で上記電気部品の頂部外周面を取り囲ませることにより、そのキャップ体によって上記電気部品の頂部を覆ってあり、このキャップ体の板状部と上記筐体の天板部との間に上記板状部を上記電気部品の頂部に押し付けている弾圧要素が介在されていて、その弾圧要素が上記キャップ体に一体成形された樹脂ばね片でなると共に、上記キャップ体は、サイズの異なる複数の上記電気部品の頂部を覆うことのできる大きさに形成されていることを特徴とする電気電子機器の電源装置。
【請求項２】
基板上に配備された電気部品の頂部が、電気電子機器筐体の板金製天板部に間隔を隔てて対向している電気電子機器の電源装置において、
板状部とその板状部に一体に形成された周壁部とを備える電気絶縁体でなるキャップ体の上記板状部を上記電気部品の頂部に載架して上記周壁部で上記電気部品の頂部外周面を取り囲ませることにより、そのキャップ体によって上記電気部品の頂部を覆ってあると共に、このキャップ体の板状部と上記筐体の天板部との間に、上記板状部を上記電気部品の頂部に押し付けている弾圧要素が介在されていることを特徴とする電気電子機器の電源装置。
【請求項３】
上記キャップ体が上記弾圧要素を一体に備える樹脂成形体でなる請求項２に記載した電気電子機器の電源装置。
【請求項４】
上記キャップ体は、サイズの異なる複数の上記電気部品の頂部を覆うことのできる大きさに形成されている請求項２又は請求項３に記載した電気電子機器の電源装置。
【請求項５】
上記電気部品が基板に搭載された円柱状の外形を有する電解コンデンサーである請求項２ないし請求項４のいずれか１項に記載した電気電子機器の電源装置。
【発明の詳細な説明】
【技術分野】
【０００１】
本発明は、電気電子機器の電源装置、詳しくは、電気電子機器筐体の板金製天板部を電気部品の頂部に接近させることによって電気電子機器の薄形化を図る場合に有利に採用することのできる対策を講じた電気電子機器の電源装置に関する。
【背景技術】
【０００２】
近時、ＤＶＤプレーヤ／レコーダなどの電気電子機器ではその薄形化を図るために様々な対策が講じられている反面で、その電源装置に組み込まれている電気部品としての電解コンデンサの表面とその電解コンデンサを収容している板金製筐体との絶縁距離を一定値以上に定めておくことによって、その絶縁距離が一定値以下の場合に起こり得る電気的悪影響を未然に防ぐことが要求されている。そして、従来は、電気筐体の板金製天板部を電気部品の頂部に接近させて電気電子機器の薄形化を図ろうとしても、上記した電解コンデンサの表面と筐体との絶縁距離が電解コンデンサの頂部と筐体との垂直距離に相当していたのでその絶縁距離を上記一定値よりも小さくすることができず、その絶縁距離を規定している安全規格上の制約によって薄形化を促進しにくいという問題があった。
【０００３】
一方、電解コンデンサに関しては、主に防爆の観点から従来より多くの提案がなされている（特許文献１〜４）。これらの特許文献１〜４には外形が円柱状である電解コンデンサが示されていて、そのうち、特許文献１には、有底円筒状のアルミニウムケースを備えた電解コンデンサーが示され、特許文献２には、電解コンデンサーのアルミニウムケースの胴体部分を樹脂膜で外面被覆した構成が示され、特許文献３には、電解コンデンサをその上方に配備したカバーで覆って防塵を行うことが示され、特許文献４には、ケーシング内に横倒し姿勢で配備したコンデンサの頂部にプラスチックの絶縁材料でなるキャップ本体を装着することが示されている。
【特許文献１】特開２０００−２６９０９８号公報
【特許文献２】特開２０００−２６９０９８号公報
【特許文献３】特開平７−８６１０３号公報
【特許文献４】実開平５−６６９５６号公報（図１）
【発明の開示】
【発明が解決しようとする課題】
【０００４】
ところで、電気電子機器の電源装置において、電気部品としての電解コンデンサの表面と筐体との絶縁距離を一定値以上に定めておくことが要求される理由は、電磁波による悪影響や漏電などの危険性を排除するためである。そこで、本願発明者は、電解コンデンサの表面を電気絶縁性のカバー部材で覆うことによってそのカバー部材を上記筐体に対向させるようにすると、そのカバー部材の表面に沿う長さとして規定される沿面距離に見合う寸法だけ絶縁距離が長くなり、上記した安全規格が要求している上記対向間隔寸法を満たすことができるものと考えた。
【０００５】
一方、上掲の特許文献１〜４のうち、特許文献３に記載されているカバーは防塵のために設けられているに過ぎず、また、特許文献４に記載されているキャップ本体は、筐体としてのケーシングとの対向箇所が、爆発時のガス逃げ用の窓部として開口されているために、電解コンデンサ側に電気絶縁性の面に沿う沿面距離を具備させて絶縁距離を長くすることには役立っていない。
【０００６】
本発明は以上の状況の下でなされたものであり、筐体の板金製天板部に間隔を隔てて対向している電解コンデンサなどの電気部品の頂部を電気絶縁性のカバー部材で取り囲むことにより、電気部品に、その電気部品の表面に至る沿面距離を具備させて天板部との絶縁距離を延長し、もって、上記した安全規格による要求を満たすことのできる電気電子機器の電源装置を提供することを目的とする。
【０００７】
これに加えて、本発明は、上記した電気絶縁性のカバー部材をキャップ体として電解コンデンサに対する装着性を向上させることができ、しかも、そのキャップ体の位置決めのために特別な止具を用いる必要のない電気電子機器の電源装置を提供することを目的とする。
【０００８】
さらに、本発明は、電気部品の頂部と筐体の板金製天板部との対向間隔を変更することに対処することが可能である上、サイズの異なる電気部品に対して１種類のキャップ体を共用することを可能にした電気電子機器の電源装置を提供することを目的とする。
【課題を解決するための手段】
【０００９】
本発明に係る電気電子機器の電源装置は、基板上に配備された電気部品の頂部が、電気電子機器筐体の板金製天板部に間隔を隔てて対向している電気電子機器の電源装置において、板状部とその板状部に一体に形成された周壁部とを備える電気絶縁体でなるキャップ体の上記板状部を上記電気部品の頂部に載架して上記周壁部で上記電気部品の頂部外周面を取り囲ませることにより、そのキャップ体によって上記電気部品の頂部を覆ってあると共に、このキャップ体の板状部と上記筐体の天板部との間に、上記板状部を上記電気部品の頂部に押し付けている弾圧要素が介在されている。
【００１０】
この構成であると、電気部品の頂部に載架したキャップ体が筐体の板金製天板部に対向し、しかも、そのキャップ体の表面によって電気部品の表面に至る沿面距離が具備される。そのため、筐体の板金製天板部を電気部品の頂部に近付けて電気電子機器を薄形化しても、キャップ体の板状部の大きさや周壁部の高さを適切に定めることによって筐体の板金製天板部と電気部品の表面との絶縁距離を、上記した安全規格を十分に満たす程度に長くすることが可能になる。また、電気部品の頂部に筐体の天板部を近付ける場合に、両者の対向間隔の変更が弾圧要素の変形によって吸収されるので、電気部品の頂部と天板部との対向間隔を変更することに容易に対処することが可能になる。その上、天板部によって支えられた弾圧要素がキャップ体を電気部品の頂部に押し付けてキャップ体を動かないように電気部品の頂部に位置決めすることになるので、キャップ体を止具や接着剤を用いて電気部品に固定する必要がない。
【００１１】
本発明では、上記キャップ体が上記弾圧要素を一体に備える樹脂成形体でなることが望ましい。これによれば、弾圧要素がキャップ体と共に１部品として取り扱われるので、弾圧要素だけをキャップ体の板状部と上記筐体の天板部との間に組み込むという手間がかからなくなって組立作業性が改善される。
【００１２】
本発明において、上記キャップ体は、サイズの異なる複数の上記電気部品の頂部を覆うことのできる大きさに形成されていることが望ましい。これによれば、キャップ体をサイズの異なる複数の電気部品に対して共用することが可能になり、電気部品のサイズが異なるごとにキャップ体を別途用意する必要がなくなる。
【００１３】
本発明では、上記電気部品が基板に搭載された円柱状の外形を有する電解コンデンサーであってもよい。
【００１４】
本発明に係る電気電子機器の電源装置は、基板上に配備された電気部品の頂部が、電気電子機器筐体の板金製天板部に間隔を隔てて対向している電気電子機器の電源装置において、板状部とその板状部に一体に形成された周壁部とを備える電気絶縁性の樹脂成形体でなるキャップ体の上記板状部を、基板に搭載された円柱状の外形を有する電解コンデンサーでなる上記電気部品の頂部に載架して上記周壁部で上記電気部品の頂部外周面を取り囲ませることにより、そのキャップ体によって上記電気部品の頂部を覆ってあり、このキャップ体の板状部と上記筐体の天板部との間に上記板状部を上記電気部品の頂部に押し付けている弾圧要素が介在されていて、その弾圧要素が上記キャップ体に一体成形された樹脂ばね片でなると共に、上記キャップ体は、サイズの異なる複数の上記電気部品の頂部を覆うことのできる大きさに形成されている、という構成を採用することによっていっそう具体化される。この発明の作用などについては、後述する実施形態を参照して詳細に説明する。
【発明の効果】
【００１５】
以上のように、本発明によれば、電解コンデンサなどの電気部品側に載架したキャップ体が、筐体の板金製天板部と電気部品の表面との絶縁距離を長くすることに役立っているので、上記天板部を電気部品の頂部に近付けるという手段で電気電子機器の薄形化を図っても、安全規格の要求が十分に満たされるようになる。そのため、電気電子機器の薄形化を促進しやすくなるという効果が奏される。
【００１６】
また、キャップ体の表面に沿う沿面距離は、周壁部を高くするなどの方法でキャップ体を大きくすることによって簡単に延長することができるという利点がある。その上、キャップ体は、天板部によって支えられた弾圧要素によって電気部品の頂部に押し付けられて位置決めされるので、電気部品の頂部と天板部との対向間隔を変更することに容易に対処することが可能になる上、キャップ体の位置決めに特別な止具などを用いる必要がないという利点もある。そのほか、弾圧要素をキャップ体と共に樹脂で一体成形したものでは組立作業性が改善されるし、サイズの異なる電気部品に対して１種類のキャップ体を共用するようにも構成することもできるので、電気部品のサイズが異なるごとにキャップ体を別途用意する必要がなくなるという利点もある。
【発明を実施するための最良の形態】
【００１７】
図１は本発明に係る電気電子機器としてのＤＶＤプレーヤ／レコーダの電源装置の要部を示した縦断正面図、図２は同要部の縦断側面図、図３は電気部品としての電解コンデンサ３に載架されたキャップ体５の平面図である。また、図４は作用を説明するための要部の一部破断拡大正面図である。
【００１８】
図１及び図２のように、この電源装置は、ボトムケース１１と板金製のトップケース１２とでなる筐体（キャビネット）１に、電源回路を構成している電解コンデンサ３を搭載した基板２がその電解コンデンサ３と共に収容されている。電解コンデンサ３は一次側電源回路に介在されていて円柱状の外形を有している。また、電源回路にはラインフィルターやトランスなどの他の電気部品も組み込まれているけれども、それらの電気部品の中で電解コンデンサ３が最も背高になっていて、筐体１の板金製の天板部１２ａ、すなわちトップケース１２の天板部１２ａの配置高さは、最も背高の電源コンデンサ３の高さによって定まり、しかも、天板部１２ａの配置高さを低くすることによって電気電子機器の薄形化を促進することができるものである。
【００１９】
図１及び図２において、５は電気絶縁材料の一例である樹脂で作られたキャップ体であり、このキャップ体５には、開口を持たない円形の板状部５１とその板状部５１の外周縁に連設された開口を持たない円筒状の周壁部５２とが備わっているほか、板状部５１には、上拡がりに形成された一対の突起でなる樹脂ばね片５３が一体成形されている。そして、キャップ体５を電解コンデンサ３の頂部３１に被せることにより、その板状部５１を電解コンデンサ３の頂部３１に載架し、かつ、周壁部５２で電解コンデンサ３の頂部３１の外周面を取り囲ませ、もって、キャップ体５によって電解コンデンサ３の頂部３１を覆わせている。また、上記樹脂ばね片５３は、上記板状部５１と上記天板部１２ａとの間に介在されていて、天板部１２ａにより支えられた状態で板状部５１を電解コンデンサ３の頂部に弾性的に押し付けている。
【００２０】
この構成を備えた電源装置によると、トップケース１２の板金製の天板部１２ａが電解コンデンサ３の頂部３１に上方から対向しているとしても、電解コンデンサ３の頂部３１には、その頂部３１を覆う樹脂製のキャップ体５が被せられているので、キャップ体５の周壁部５２の高さ分だけ沿面距離が確保され、電解コンデンサ３の表面のキャップ体５によって覆われていない箇所が天板部１２ａから遠ざかって電解コンデンサ３と天板部１２ａとの間の絶縁距離が延長される。
【００２１】
この点を図４を参照して説明すると、天板部１２ａからキャップ体５の周壁部５２の下端までの垂直距離をＡ、キャップ体５２の周壁部５２の下端から電解コンデンサ３の表面までの水平距離をＢとすると、天板部１２ａと電解コンデンサ３の表面との間の絶縁距離はＡとＢとを合わせた長さ（Ａ＋Ｂ）になり、その長さは、キャップ体３の大きさ（板状部５１の直径や周壁部５２の高さ）を大きくすることによって、天板部１２ａから電解コンデンサ３の頂部３１までの垂直距離Ｓよりも容易に長くすることが可能である。したがって、天板部１２ａを電解コンデンサ３の頂部３１に近付けて電気電子機器を薄形化することが可能であり、そのようにしても、上記した絶縁距離を冒頭で説明した安全規格を満たす程度に容易に長くすることが可能である。
【００２２】
この実施形態では、図４に示したように、キャップ体５の周壁部５２の内径Ｄ１は、図示した電解コンデンサ３の直径Ｄよりも大きい。そのため、直径Ｄの電解コンデンサ３よりもサイズの大きな電解コンデンサの頂部（不図示）にもそのキャップ体５を被せることができるため、サイズの大きな電解コンデンサにキャップ体５を被せて天板部１２ａとの絶縁距離を十分に長くすることも可能である。このことから、このキャップ体５は、サイズの異なる複数の電解コンデンサに対して共用することが可能であると云える。
【００２３】
また、上記したように、キャップ体５と一体に形成されている樹脂ばね片５３が、キャップ体５の板状部５１を電解コンデンサ３の頂部に弾性的に押し付けているので、その樹脂ばね片５３が弾性変形することによって天板部１２ａとキャップ体５との垂直間隔の変更が吸収されると共に、キャップ体５が動かないように電解コンデンサ３の頂部３１で位置決めされる。このことから、キャップ体５を電解コンデンサ３の頂部３１に対して動かないように位置決めすることのために、ビスなどの止具や接着剤などを別途用いる必要はない。
【００２４】
この実施形態では、電気部品として最も背高の電解コンデンサ３を例示してあるけれども、この点に関しては、たとえば電気部品の他の例であるラインフィルタが電解コンデンサ３よりも背高であるような場合には、そのラインフィルタにキャップ体５を被せることによって、電気電子機器の薄形化を図ることが可能である。
【図面の簡単な説明】
【００２５】
【図１】本発明に係る電気電子機器の電源装置の要部を示した縦断正面図である。
【図２】同要部の縦断側面図である。
【図３】電解コンデンサに載架されたキャップ体の平面図である。
【図４】作用を説明するための要部の一部破断拡大正面図である。
【符号の説明】
【００２６】
１  筐体
２  基板
３  電解コンデンサ（電気部品）
５  キャップ体
１２ａ  天板部
３１  電解コンデンサの頂部
５１  板状部
５２  周壁部
５３  樹脂ばね片（弾圧要素）
【図１】
2006147957.tif 000003
【図２】
2006147957.tif 000004
【図３】
2006147957.tif 000005
【図４】
2006147957.tif 000006